(57)【要約】【課題】表示装置について設定された設定条件に応じて、物理量の測定結果を適切に表示装置に送信することができるセンサ装置、処理装置、センサシステム及び物理量の出力方法を提供する。【解決手段】センサ装置２０は、物理量を測定して、測定結果としての第１データを生成するセンサ部２１と、センサ部２１によって生成された第１データについてデータ量を減らす処理を行って、第２データを生成する処理部（第２処理部２５）と、第２処理部２５によって生成された第２データを表示装置に送信する通信部（第２通信部２６）と、を備える。第２処理部２５は、表示装置について設定された設定条件に基づいて、第１データのデータ量を減らす処理を行う。【選択図】図３
2016066160.tif 000002
【特許請求の範囲】
【請求項１】
物理量を測定して、測定結果としての第１データを生成するセンサ部と、
前記センサ部によって生成された第１データのデータ量を減らす処理を行って、第２データを生成する処理部と、
前記処理部によって生成された第２データを表示装置に送信する通信部と、を備え、
前記処理部は、前記表示装置について設定された設定条件に基づいて、第１データについてデータ量を減らす処理を行う
センサ装置。
【請求項２】
前記処理部は、前記表示装置から送信されて、前記通信部によって受信された前記設定条件に基づいて、第１データのデータ量を減らす処理を行う
請求項１に記載のセンサ装置。
【請求項３】
センサ部によって生成された第１データを記憶する記憶部と、
前記表示装置から送信された第１データ送信指示に基づいて、前記記憶部に記憶される第１データを前記通信部によって前記表示装置に送信させる制御部と、を備える
請求項１又は２に記載のセンサ装置。
【請求項４】
物理量を測定して、測定結果としての第１データを生成するセンサ部と、
センサ部によって生成された、２回の測定に対応する前回測定分の第１データと今回測定分の第１データとに基づいて、前回測定に対する今回測定のデータの変化量を求め、当該変化量のデータを第２データとして生成する処理部と、
前記処理部によって生成された第２データを表示装置に送信する通信部と、
を備えるセンサ装置。
【請求項５】
センサ装置によって測定された物理量の測定結果である第１データを処理する処理装置であって、
前記センサ装置から第１データを受け付け、その第１データのデータ量を減らす処理を行って、第２データを生成する処理部と、
前記処理部によって生成された第２データを表示装置に送信する通信部と、を備え、
前記処理部は、前記表示装置について設定された設定条件に基づいて、第１データについてデータ量を減らす処理を行う
処理装置。
【請求項６】
第１データに基づいて第２データを生成するセンサ装置と、第２データに基づいて画像を表示する表示装置とを備えるセンサシステムであって、
前記表示装置は、
第２データに基づく画像を表示する表示部と、
前記センサ装置から第２データを受信すると共に、受信した第２データに基づく画像を前記表示部に表示する場合の設定条件を前記センサ装置に送信する第１通信部と、を備え、
前記センサ装置は、
物理量を測定して、測定結果としての第１データを生成するセンサ部と、
前記センサ部によって生成された第１データについて、前記第１通信部から送信された前記設定条件に基づいてデータ量を減らす処理を行って、第２データを生成する処理部と、
前記処理部によって生成された第２データを前記第１通信部に送信すると共に、前記第１通信部から送信された前記設定条件を受信する第２通信部と、を備える
センサシステム。
【請求項７】
センサ部、処理部及び通信部を備えるセンサ装置において実行される物理量の出力方法であって、
前記センサ部が、物理量を測定して、第１データを生成する第１ステップと、
前記処理部が、前記第１ステップによって生成された第１データのデータ量を減らす処理を行って、第２データを生成する第２ステップと、
前記通信部が、前記第２ステップによって生成された第２データを表示装置に送信する第３ステップと、を行い、
前記第２ステップでは、前記表示装置について設定された設定条件を予め取得しておき、前記設定条件に基づいて第１データのデータ量を減らす処理を行う
物理量の出力方法。
【発明の詳細な説明】
【技術分野】
【０００１】
本発明は、物理量を測定するセンサ装置、処理装置、センサシステム及び物理量の出力方法に関する。
【背景技術】
【０００２】
従来より、センサ装置によって測定した物理量の測定結果を、センサ装置から離れた位置に配される表示装置に送信して、表示装置に物理量の測定結果を表示させるセンサシステムがある。例えば、特許文献１に記載された技術は、センサ装置による測定結果を、表示装置に無線で送信している。
【先行技術文献】
【特許文献】
【０００３】
【特許文献１】特開平９−８１８８１号公報
【発明の概要】
【発明が解決しようとする課題】
【０００４】
近年は技術の進歩に伴い、タブレット型コンピュータ等の汎用型表示装置でも、センサ装置の測定結果を表示することが可能である。汎用型表示装置は、取り扱いが容易であり、またセンサ装置固有の表示装置ではないため、種々のセンサ装置に対して利用することが可能になっている。
【０００５】
しかしながら、汎用型表示装置では、センサ装置から大量のデータが送信される場合等には、データ受信（送信）の能力又はデータ表示の能力等が大量のデータに対応することができない可能性がある。
なお、特許文献１に記載された技術では、センサ装置に対して専用の表示装置を利用しているため、汎用性及び利便性に欠けるという課題がある。
【０００６】
本発明は、表示装置において設定された設定条件に応じて、物理量の測定結果を適切に表示装置に送信することができるセンサ装置、処理装置、センサシステム及び物理量の出力方法を提供することを目的とする。
【課題を解決するための手段】
【０００７】
本発明のセンサ装置は、物理量を測定して、測定結果としての第１データを生成するセンサ部と、前記センサ部によって生成された第１データのデータ量を減らす処理を行って、第２データを生成する処理部と、前記処理部によって生成された第２データを表示装置に送信する通信部と、を備える。前記処理部は、前記表示装置について設定された設定条件に基づいて、第１データのデータ量を減らす処理を行う。
【０００８】
また、前記処理部は、前記表示装置から送信されて、前記通信部によって受信された前記設定条件に基づいて、第１データについてデータ量を減らす処理を行うことが好ましい。
【０００９】
また、前記センサ装置は、センサ部によって生成された第１データを記憶する記憶部と、前記表示装置から送信された第１データ送信指示に基づいて、前記記憶部に記憶される第１データを前記通信部によって前記表示装置に送信させる制御部と、を備える。
【００１０】
また、本発明のセンサ装置は、物理量を測定して、測定結果としての第１データを生成するセンサ部と、センサ部によって生成された、２回の測定に対応する前回測定分の第１データと今回測定分の第１データとに基づいて、前回測定に対する今回測定のデータの変化量を求め、当該変化量のデータを第２データとして生成する処理部と、前記処理部によって生成された第２データを表示装置に送信する通信部と、を備える。
【００１１】
本発明の処理装置は、センサ部によって測定された物理量の測定結果である第１データを処理する。処理装置は、前記センサ部から第１データを受け付け、その第１データのデータ量を減らす処理を行って、第２データを生成する処理部と、前記処理部によって生成された第２データを表示装置に送信する通信部と、を備える。前記処理部は、前記表示装置について設定された設定条件に基づいて、第１データについてデータ量を減らす処理を行う。
【００１２】
本発明のセンサシステムは、第１データに基づいて第２データを生成するセンサ装置と、第２データに基づいて画像を表示する表示装置とを備える。前記表示装置は、第２データに基づく画像を表示する表示部と、前記センサ装置から第２データを受信すると共に、受信した第２データに基づく画像を前記表示部に表示する場合の設定条件を前記センサ装置に送信する第１通信部と、を備える。前記センサ装置は、物理量を測定して、測定結果としての第１データを生成するセンサ部と、前記センサ部によって生成された第１データについて、前記第１通信部から送信された前記設定条件に基づいてデータ量を減らす処理を行って、第２データを生成する処理部と、前記処理部によって生成された第２データを前記第１通信部に送信すると共に、前記第１通信部から送信された前記設定条件を受信する第２通信部と、を備える。
【００１３】
物理量の出力方法は、センサ部、処理部及び通信部を備えるセンサ装置において実行される。物理量の出力方法は、前記センサ部が、物理量を測定して、第１データを生成する第１ステップと、前記処理部が、前記第１ステップによって生成された第１データについてデータ量を減らす処理を行って、第２データを生成する第２ステップと、前記通信部が、前記第２ステップによって生成された第２データを表示装置に送信する第３ステップと、を行う。前記第２ステップでは、前記表示装置について設定された設定条件を予め取得しておき、前記設定条件に基づいて第１データのデータ量を減らす処理を行う。
【発明の効果】
【００１４】
本発明によれば、表示装置について設定された設定条件に応じて、物理量の測定結果を適切に表示装置に送信することができるセンサ装置、処理装置、センサシステム及び物理量の出力方法を提供することができる。
【図面の簡単な説明】
【００１５】
【図１】本発明のセンサシステムの一実施形態について説明するためのブロック図である。
【図２】表示装置の一実施形態について説明するためのブロック図である。
【図３】センサ装置の一実施形態について説明するためのブロック図である。
【図４】第２処理部において行われる処理について説明するための第１の図である。
【図５】第２処理部において行われる処理について説明するための第２の図である。
【図６】センサ装置の動作の一例について説明するためのフローチャートである。
【発明を実施するための形態】
【００１６】
以下、本発明の一実施形態について説明する。図１は、本発明のセンサシステム１の一実施形態について説明するためのブロック図である。図２は、表示装置１０の一実施形態について説明するためのブロック図である。図３は、センサ装置２０の一実施形態について説明するためのブロック図である。
図１に示すように、センサシステム１は、表示装置１０と、センサ装置２０と、を備える。表示装置１０は、例えば、タブレット型コンピュータ等の汎用型の表示装置である。
【００１７】
図２に示すように、表示装置１０は、第１通信部１１と、第１処理部１２と、表示部１３と、第１制御部１４と、を備える。
【００１８】
第１通信部１１は、センサ装置２０と通信を行う。具体的には、第１通信部１１は、後述する第２通信部２６（図３参照）と通信を行う。第１通信部１１は、例えば、シリアル通信により第２通信部２６と通信を行う。なお、第１通信部１１は、ＷｉＦｉ等の無線通信規格を利用して第２通信部２６と通信を行ってもよい。
【００１９】
第１通信部１１は、センサ装置２０（第２通信部２６）から送信されたデータを受信する。また、第１通信部１１は、設定条件データを第２通信部２６に送信する。
【００２０】
第１処理部１２は、センサ装置２０から送信されたデータを処理する。例えば、センサ装置２０から送信されたデータが圧縮されている場合には、第１処理部１２は、データを伸張する。なお、実施形態によっては、第１処理部１２は、配されなくともよい。
【００２１】
表示部１３は、例えば、第１通信部１１によって受信されたデータに基づく画像を表示する。すなわち、表示部１３は、センサ装置２０の測定結果を表示する。
【００２２】
第１制御部１４は、第１通信部１１、第１処理部１２及び表示部１３を制御する。第１制御部１４は、表示部１３がセンサ装置２０の測定結果を表示する場合の設定条件をセンサ装置２０に送信するよう、第１通信部１１を制御する。すなわち、設定条件は、表示装置１０（表示部１３）について設定された条件である。設定条件の一例は、表示部１３に表示されるセンサ装置２０の測定結果の表示範囲（表示レンジ）等である。設定条件は、表示装置１０を操作するユーザによって設定されてもよく、表示部１３の表示性能等に応じて第１制御部１４が適宜設定してもよく、予め固定値が設定されてもよい。なお、設定条件の詳細については、後述する。設定条件には、表示装置１０及びその他の条件が含まれ、表示装置又はその他の装置において設定される。
【００２３】
図３に示すように、センサ装置２０は、センサ部２１と、記憶部２３と、分析部２４と、第２処理部２５と、第２通信部２６と、第２制御部２７と、を備える。第２処理部２５は、本発明の「処理部」の一実施形態に対応する。第２制御部２７は、本発明の「制御部」の一実施形態に対応する。
【００２４】
センサ部２１は、物理量の検出センサ（図示せず）と、検出センサから出力されるアナログデータをディジタルデータに変換（ＡＤ変換）するアナログディジタル（ＡＤ）変換器（図示せず）とを備える。センサ部２１は、検出センサで物理量を測定し、検出センサから出力されるデータをＡＤ変換器でＡＤ変換した後、測定結果としてのデータ（第１データ）を生成する。物理量の一例は、音、振動、加速度及び磁場等である。したがって、音の分析を目的とする場合には、検出センサは、マイクとなる。振動計測を目的とする場合には、検出センサは、加速度センサとなる。磁場計測を目的とする場合には、検出センサは、磁気センサとなる。なお、検出センサは、これらの例に限定されることはない。また、実施形態によっては、検出センサは、複数配されてもよい。
【００２５】
記憶部２３は、センサ部２１によって生成された第１データを記憶する。すなわち、記憶部２３は、デジタルに変換された測定データの全てを記憶する。記憶部２３から第１データを読み出すことにより、センサシステム１のユーザは、センサ部２１の測定結果を詳細に分析することができる。
【００２６】
分析部２４は、第１データについて、分析のための種々の処理を行う。一例として、分析部２４は、第１データについて、フィルタ処理及び／又は高速フーリエ変換処理等を行う。分析部２４が実行する処理の内容は、例えば、ユーザによる設定に基づいて決定される。
なお、分析部２４は、センサ装置２０に配されなくともよい。この場合、分析処理は、表示装置１０の第１処理部１２において実行される。
【００２７】
第２処理部２５は、センサ部２１によって生成された第１データについて、第１通信部１１から予め送信された設定条件に基づいてデータ量を減らす処理を行って、第２データを生成する。
図４は、第２処理部２５において行われる処理について説明するための第１の図である。図５は、第２処理部２５において行われる処理について説明するための第２の図である。
【００２８】
第２処理部２５は、例えば、データの切り出し処理を行う。例えば、表示部１３の横方向の解像度が１０００ドットであり、表示部１３の全領域を利用してセンサ部２１の測定結果を表示する場合において、センサ部２１の測定点数が１０００点を超えるときには、第２処理部２５は、第２データに含まれる測定点数が１０００点以下になるように、第１データに含まれる測定点を間引く処理を行う。一例として、センサ部２１の測定点数が２０００点ある場合には、第２処理部２５は、２点に１点の間引き処理（削除処理）を行って、測定点数を１０００点に減らす。第２データには、間引き処理後の１０００点の測定結果が含まれる。このように、第２処理部２５は、設定条件としての表示部１３の解像度に基づいて、データ量を減らす処理を行う。
【００２９】
また、例えば、センサ部２１が１秒間に１００回の音圧データを取得できる場合でも、グラフを介した一般的なユーザの認識能力は、センサ部２１による測定結果の取得能力ほどは高くない。このため、視覚情報として表示部１３に表示される測定結果の更新速度がユーザによって適宜設定されることにより、例えば、第２処理部２５は、センサ部２１における１０回の測定につき９回分の測定結果を間引く処理を行い、１回分の測定結果に基づいて第２データを生成してもよい。このように、第２処理部２５は、設定条件に基づいて、データ量を減らす処理を行う。
【００３０】
また、図４に示すように、分析部２４によって１０００Ｈｚから２００００Ｈｚまでの周波数が測定される場合において、表示部１３では７０００Ｈｚから１４０００Ｈｚまでの周波数範囲が表示されるときは、第２処理部２５は、第１データの、１０００Ｈｚから６９９９Ｈｚまで、及び、１４００１Ｈｚから２００００Ｈｚまでの周波数範囲のデータを間引いて、７０００Ｈｚから１４０００Ｈｚまでの周波数範囲のデータを第２データとして生成する。このように、第２処理部２５は、設定条件としての表示部１３の表示範囲に基づいて、データ量を減らす処理を行う。
【００３１】
また、図５に示すように、表示部１３に表示されるセンサ部２１の測定結果に対する分析部２４の結果を４つの区間（区間１、区間２、区間３及び区間４）に分割し、表示部１３に表示される測定結果が１区間毎に更新されるように、第２処理部２５は、測定結果を間引く処理を行ってもよい。
【００３２】
例えば、分析部２４によって１０００Ｈｚから２００００Ｈｚまでの周波数が測定される場合、区間１を１０００Ｈｚから５５００Ｈｚまでの周波数範囲とし、区間２を５５０１Ｈｚから１１０００Ｈｚまでの周波数範囲とし、区間３を１１００１Ｈｚから１６０００Ｈｚまでの周波数範囲とし、区間４を１６００１Ｈｚから２００００Ｈｚまでの周波数範囲とする。第２処理部２５は、分析部２４によって全周波数範囲（１０００Ｈｚ〜２００００Ｈｚ）についての測定結果が得られた場合、分析部２４から出力されるデータの（全周波数範囲のデータから）５５０１Ｈｚ〜２００００Ｈｚの周波数範囲のデータを間引いて、区間１に対応するデータで第２データを生成する。次に、第２処理部２５は、分析部２４によって２回目の全周波数範囲についての測定結果が得られた場合、全周波数範囲のデータから１０００Ｈｚ〜５５００Ｈｚ及び１１００１Ｈｚ〜２００００Ｈｚの周波数範囲のデータを間引いて、区間２に対応するデータで第２データを生成する。第２処理部２５は、分析部２４によって３回目の全周波数範囲についての測定結果が得られた場合、全周波数範囲のデータから１０００Ｈｚ〜１１０００Ｈｚ及び１６００１Ｈｚ〜２００００Ｈｚの周波数範囲のデータを間引いて、区間３に対応するデータで第２データを生成する。第２処理部２５は、分析部２４によって４回目の全周波数領域についての測定結果が得られた場合、全周波数範囲のデータから１０００Ｈｚ〜１６０００Ｈｚの周波数範囲のデータを間引いて、区間４に対応するデータで第２データを生成する。区間４に対応する第２データを生成した後は、第２処理部２５は、区間１に対応する第２データ、区間２に対応する第２データ、区間３に対応する第２データ及び区間４に対応する第２データを作成することを繰り返す。生成された第２データは、順次、第２通信部２６によって表示装置１０に送信される。表示装置１０は、第２データに基づく画像を表示部１３に表示する。すなわち、表示装置１０は、新たに送信された区間のデータについての表示を更新し、他の区間についての表示を維持する。このように、第２処理部２５は、設定条件としての表示部１３への表示更新範囲に基づいて、データ量を減らす処理を行う。
【００３３】
なお、表示を更新する区間は、上記のように４つに限定されることはない。また、表示の更新は、１区間のみに限定されることはなく、複数区間で同時に更新されてもよい。例えば、区間１と区間３とが同時に更新され、その後、区間２と区間４とが同時に更新されることを繰り返してもよい。また、２回の測定についてのデータの変化量（率）の区間内総和が最も大きい区間についての表示を優先的に更新するよう、第２処理部２５は、データを間引いてもよい。
【００３４】
また、第２処理部２５は、図５に例示するように４つの区間に分割する場合、区間毎に前回の測定結果に対する変化量（率）を取得し、変化量（率）が所定の閾値を超えている場合には、所定の閾値を超えた変化量となっている区間のデータから優先的に第２データを生成してもよい。すなわち、第２処理部２５は、前回の測定結果と比較し、変化量（率）が所定の閾値未満となっている区間のデータを第１データから間引く処理を行う。このように、第２処理部２５は、設定条件としてデータの変化量（率）に基づいて、データを減らす処理を行う。
【００３５】
なお、上記の実施例における第２データには、実行した処理内容を表すシンボル情報を含めてもよい。
【００３６】
また、第２処理部２５は、前回と今回の２回の測定が行われた場合、今回の測定については、前回の測定結果からの変化量を求め、その変化量を第２データとすることもできる。すなわち、第２処理部２５は、センサ部２１によって生成された、２回の測定に対応する前回測定分の第１データと今回測定分の第１データとに基づいて、前回測定に対する今回測定のデータの変化量を求め、当該変化量のデータを第２データとして生成する。変化量を第２データとする場合には、測定結果の全てを第２データとする場合に比べて、データ量（ビット数）を減らすことができる。
【００３７】
なお、第２処理部２５は、生成した第２データをさらに圧縮する処理を行ってもよい。
第２処理部２５によって生成された第２データ（又は、圧縮処理が行われたデータ）は、第２通信部２６へ送信される。第２通信部２６は、第２データを表示装置１０の第１通信部１１へ送信する。また、第２通信部２６は、第１通信部１１からの設定条件を受信する。
【００３８】
第２制御部２７は、センサ装置２０全体を制御する。第２制御部２７は、第２通信部２６によって受信した設定条件に基づいて処理を行うよう、第２処理部２５を制御する。
また、測定された物理量の詳細な分析が必要な場合、第２制御部２７は、表示装置１０から送信された第１データ送信指示に基づいて、記憶部２３に記憶される第１データを第２通信部２６によって表示装置１０に送信させる。第１データ送信指示は、記憶部に２３に記憶される第１データを表示装置１０に送信させるための指示である。第２制御部２７は、第１データ送信指示を第２通信部２６で受信すると、その第１データ送信指示に基づいて、記憶部２３に記憶される第１データを読み出して、第２通信部２６によって表示装置１０に送信する。なお、記憶部２３から読み出された第１データは、そのまま表示装置１０に送信されてもよく、分析部２４によって分析された後に送信されてもよく、分析部２４によって分析され且つ第２処理部２５によって処理が行われた後に送信されてもよい。
【００３９】
次に、センサ装置２０の動作について説明する。図６は、センサ装置２０の動作の一例について説明するためのフローチャートである。
【００４０】
ステップＳ１において、第２通信部２６は、表示装置１０（第１通信部１１）から設定条件を受信する。第２制御部２７は、第２通信部２６によって受信された設定条件を、第２処理部２５に提供する。
【００４１】
ステップＳ２において、センサ部２１は、物理量を測定する。
ステップＳ３において、センサ部２１は、ステップＳ２の測定に基づいた第１データを生成する。なお、第１データは、分析部２４において分析処理が行われる。
【００４２】
ステップＳ４において、第２処理部２５は、ステップＳ１において受信された設定条件、すなわち、予め提供された設定条件に基づいて、ステップＳ３において生成された第１データのデータ量を減らす処理を行って、第２データを生成する。
【００４３】
ステップＳ５において、第２通信部２６は、ステップＳ４において生成された第２データを表示装置１０（第１通信部１１）に送信する。
【００４４】
表示装置１０は、第１通信部１１で第２データを受信すると、第１処理部１２において所定の処理を行った後、設定条件に応じて、第２データに基づく画像を表示部１３に表示させる。
【００４５】
なお、設定条件は、物理量を測定している途中で変更されてもよい。第２処理部２５は、第２通信部２６によって変更された設定条件を受信した場合、変更された設定条件に基づき、第１データのデータ量を減らす処理を行って、第２データを生成する。
【００４６】
このように、センサシステム１及びセンサ装置２０は、第２処理部２５において予め提供された設定条件に基づいて、物理量のデータのデータ量を減らす処理を行い、その処理が行われた後の第２データを表示装置１０に送信する構成となっている。これにより、センサシステム１及びセンサ装置２０は、表示装置１０について設定された設定条件に応じて、物理量の測定結果を適切に表示装置１０に送信することができる。また、ユーザは、汎用型の表示装置１０を利用することにより、簡易に、且つ、リアルタイムに、物理量の測定結果を観察することができる。なお、測定された物理量の詳細な分析が必要な場合は、記憶部２３に記憶された第１データに基づいて行うことができる。
【００４７】
また、センサシステム１及びセンサ装置２０では、センサ装置専用の表示装置が用いられず、汎用型の表示装置１０が用いられる場合でも、データ量を減らす処理が行われた第２データがセンサ装置２０から表示装置１０に送信されるので、一般的に利用される通信能力のみ有していても、物理量の測定結果を表示装置１０に送信することができる。
【００４８】
また、センサシステム１及びセンサ装置２０では、表示装置１０の表示能力が一般的に利用される表示能力のみ有していても、データ量が減らされている第２データに基づいて画像を表示するので、物理量の測定結果を表示装置１０に見かけ上遜色なく表示することができる。
【００４９】
なお、センサ装置２０に配されるセンサ部２１（検出センサ）は、上述したように複数であってもよい。
この場合、例えば、センサ装置２０では、第２処理部２５において、センサ部２１毎に前回の測定結果と今回の測定結果とを比較し、変化量（率）が予め設定された閾値以上の測定結果のみを第２データとして表示装置１０に送信してもよい。なお、前記の一例では、第２処理部２５において、センサ部２１における１回の測定により得られた全測定範囲を複数の区間に分割し、区間毎に、前回の測定結果と今回の測定結果とを比較してもよい。
また、例えば、センサ装置２０では、第２処理部２５において、隣接するセンサ部２１間の測定結果を比較し、基準となるセンサ部２１（基準センサ部）については第１データをそのまま表示装置１０に送信し、他のセンサ部（隣接センサ部）については基準センサ部の測定結果に対する変化量を求め、変化量を示すデータを第２データとして表示装置１０に送信してもよい。
【００５０】
また、表示装置１０は、複数有ってもよい。この場合、センサ装置２０において生成される第２データは、複数の表示装置１０それぞれに対して送信されてもよい。
【００５１】
また、上述した実施形態では、センサ装置が、表示装置から送信された設定条件を受け付けて、その設定条件に基づいて物理量の測定データについてデータ量を減らす処理を行う例について説明した。しかしながら、設定条件は、第２通信部２６の通信能力に応じたデータ量になるよう、予め決められた条件がセンサ装置２０（第２処理部２５）に設定されていてもよい。
【００５２】
また、上述した実施形態では、センサ装置２０が、センサ部２１と、記憶部２３と、分析部２４と、第２処理部２５と、第２通信部２６と、第２制御部２７と、の全てを備える構成について説明した。しかしながら、記憶部２３と、分析部２４と、第２処理部２５と、第２通信部２６と、第２制御部２７と、が１つの処理装置を構成し、センサ部２１がセンサ装置を構成する形態であってもよい。
この場合、処理装置は、センサ装置によって測定された物理量の測定結果である第１データを処理する。処理装置は、センサ装置から第１データを受け付け、その第１データのデータ量を減らす処理を行って、第２データを生成する処理部と、処理部によって生成された第２データを表示装置に送信する通信部と、を少なくとも備える。処理部は、表示装置について設定された設定条件に基づいて、第１データのデータ量を減らす処理を行う。
【符号の説明】
【００５３】
１  センサシステム
１０  表示装置
１１  第１通信部
１３  表示部
２０  センサ装置
２１  センサ部
２５  処理部（第２処理部）
２６  通信部（第２通信部）
【図１】
2016066160.tif 000003
【図２】
2016066160.tif 000004
【図３】
2016066160.tif 000005
【図４】
2016066160.tif 000006
【図５】
2016066160.tif 000007
【図６】
2016066160.tif 000008